(57)【要約】【課題】画像形成されたシートを製本綴じする際に簡単に見出し表示部を形成することが可能な製本方法及び製本装置を提供する。【解決手段】画像形成されたシートを部揃え集積するトレイに搬送するシート搬入経路に、シートの縁部に所定形状の切込みを形成するカッタ手段と、このカッタ手段を駆動する作動手段とを配置する。そしてこの作動手段を制御する制御手段には、搬入されたシートの区切り情報（見出し情報）に応じて上記切込みを形成するか否かを判別する判別手段を設けると共に、上記切込み形状は断裁手段によるトリミングカット後に見出し開口が形成されるようにする。【選択図】図８
2010115885.tif 000002
【特許請求の範囲】
【請求項１】
シートを部揃え集積する集積トレイ手段と、
上記集積トレイ手段に画像形成されたシートを給送するシート搬入経路と、
上記集積トレイ手段で部揃え集積したシート束と表紙シートとを綴じ合わせる製本綴じ手段と、
上記製本綴じ手段で製本綴じされたシート束の周縁の少なくとも一辺をトリミングカットする断裁手段と、
を備え、
上記シート搬入経路には、
順次給送されるシートの縁部に所定形状の切込みを形成するカッタ手段と、
このカッタ手段を駆動する作動手段と、
が配置され、
上記作動手段を制御する制御手段は、上記シート搬入経路に搬入されたシートの区切り情報に応じて上記切込みを形成するか否かを判別する判別手段を有し、
上記切込み形状は上記断裁手段によるトリミングカット後に見出し開口が形成されるように設定されていることを特徴とする製本装置。
【請求項２】
前記見出し開口は、前記切込み形状で一部の辺が形成され、残りの辺は前記トリミングカットで形成されることを特徴とする請求項１に記載の製本装置。
【請求項３】
前記シート搬入経路には、シートを一時的に静止する刃受ガイドが設けられ、
前記カッタ手段は、上記刃受ガイド上のシートと直交する方向に上下動可能に配置されていることを特徴とする請求項１に記載の製本装置。
【請求項４】
前記カッタ手段は、前記シート搬入経路に配置した円盤状回転刃で構成し、
この回転軸は、シート搬送方向にシートを所定長さ切断するように構成されていることを特徴とする請求項１に記載の製本装置。
【請求項５】
前記製本綴じ手段は、前記集積トレイ手段で部揃え集積されたシート束の背部に接着剤層を添付して表紙シートでくるみ製本するように構成されていることを特徴とする請求項１に記載の製本装置。
【請求項６】
前記製本綴じ手段は、前記集積トレイ手段で部揃え集積されたシート束と表紙シートとをステップル綴じ製本するように構成されていることを特徴とする請求項１に記載の製本装置。
【請求項７】
シート上に所定の画像を形成する画像形成装置と、
上記画像形成装置からのシートを部揃え集積して製本綴じする製本装置と、
から構成され、
上記製本装置は請求項１乃至６の何れかの項に記載の構成を備えていることを特徴とする画像形成システム。
【請求項８】
画像形成されたシートを部揃え集積して製本綴じする製本方法であって、
シート搬入経路から供給された中綴じシートを集積トレイ手段に集積する部揃えステップと、
上記部揃えステップで、集積された中綴じシート束を製本綴じする製本綴じステップと、
上記製本綴じステップからのシート束の周縁をトリミングカットする断裁ステップと、
から構成され、
上記部揃えステップでシートを集積トレイに搬送するシート搬入経路には
シートの小口縁部に所定形状の切込みを形成するカッタ手段が配置され、このカッタ手段で集積トレイに搬送するシートの小口縁部に見出し抜き加工を施すことを特徴とする製本方法。
【請求項９】
前記見出し抜き加工では、最終仕上げされる見出し開口の一部の辺が形成され、残りの辺は前記断裁ステップで形成されることを特徴とする請求項８に記載の製本方法。
【発明の詳細な説明】
【技術分野】
【０００１】
本発明は、画像形成装置などで画像形成されたシートを部揃え集積して綴じ合わせる製本装置及び製本方法に係わり、製本処理と同時に小口縁部などに見出表示部を形成する見出し加工の改良に関する。
【背景技術】
【０００２】
一般に、この種の装置はプリンタ、印刷機などの画像形成装置の端末装置として、画像形成されたシートをページに積重ね、冊子状に整合した後、その端面を糊付けして表紙シートに綴じ合せる整本システムとして広く使用されている。特に最近電子出版などのオンデマンド印刷として、例えば特許文献１で示す様な、所定の情報の印刷と同時に、これを自動的に綴じ合わせて表装し、この表装シート束の周縁をトリミングカットして製本仕上げする製本システムが知られている。
【０００３】
このような製本装置は例えば特許文献１に開示されているように画像形成装置からのシート（中紙シート）を束状に部材揃えし、その背部端面に接着剤を塗布する製本処理経路と、この製本処理経路と交差する方向に表紙給送経路を設け、この両経路の交差部で表紙シートと中紙シート（束）を逆Ｔ字状に接合して表紙シートを背折り成型して綴じ合わせてくるみ製本する製本システムが提案されている。そして同文献には、最後の仕上げ処理として製本綴じした冊子状シート束の天部、地部、小口部の３方向をトリミングカットして断裁揃えすることが開示されている。
【０００４】
一方、製本方法として表紙綴じした製本束の小口端部を見出し抜き加工することも知られている。従来の見出し抜き加工は製本綴じした冊子束の小口端部をコンテンツ内容に応じて区分し、この区分に従って見出し抜きをカット成形する。従来、このような見出し抜き加工は折丁を作成した後、この折り丁毎に加工するか、あるいは製本綴じした後に加工している。そしてこの見出し抜き加工は例えばパンチ式カッタでプレス加工している。
【特許文献１】特開２００５−３３５２６２号公報
【発明の開示】
【発明が解決しようとする課題】
【０００５】
上述のように、画像形成されたシートを部揃え集積して、その背部を綴じ合わせる製本装置において、例えば目次に従って区分した見出し表示部（以下「インデックス」という）を小口縁に見出し抜き成形する場合には次の問題が生ずる。従来は、製本綴じ（完成本）した後に切り抜き成形を断面Ｕ字状のポンチなどで成形している。このため、切り抜き処理時に区切りに狂いが生ずると装丁不良となり、これが多発する問題、或いは見出し抜き成形を折丁作成時に施すことも知られている。
【０００６】
この折丁成形時に見出し抜き成形を行うことは、最後のトリミングカット量が予め１つに設定されている場合は良いが、トリミングカット量がその都度異なる場合には見出し抜き加工の寸法をトリミングカット量に応じて可変に設定しなければならない。従って従来の折り丁成形時に見出し抜き加工する場合には最終仕上げのトリミングカット量が予め一定に設定されていなければならない。
【０００７】
ところが前掲特許文献１に開示されているように画像形成装置から、その都度送られる中綴じシートを表紙シートでくるみ製本する場合には、トリミングカット量がその都度異なる。例えば表紙シートサイズが一定のとき中綴じシートが薄い場合にはトリミングカット量は小さく、逆に厚い場合にはトリミングカット量が大きく（幅広）なる。このように特許文献１のシステムではトリミングカット量が中綴じシートの束厚さに応じて変化する問題と同時にシートの搬送経路でトリミングカットとは別に見出し抜き加工で生ずる紙片屑を処理しなければ成らず、装置が複雑で高価となる問題を抱えている。
【０００８】
このような不具合を避ける為、見出し抜き加工は表紙綴じ後の完成本の小口端に追加工している。この追加工を手作業で行うと上述の装丁不良の原因となっている。
【０００９】
そこで本発明者は、画像形成されたシートを集積トレイに搬入する過程で、このシートの小口縁に切込みを形成し、このシート束を綴じ合わせて製本した後に断裁仕上げする際に縁取りして見出し開口部を形成することによって装置の簡素化とシートジャムなどの不具合を生ずことがないとの着想に至った。
【００１０】
本発明は、画像形成されたシートを部揃え集積して製本綴じする際に簡単に見出し表示部を形成することが可能な製本方法及び製本装置の提供をその主な課題としている。更に本発明は、部揃え集積のためシートを搬送する過程でシートに見出し抜き加工を施す際に、切り屑処理の必要が無くカッタ機構を簡潔かつコンパクトに構成することが可能な製本装置及び画像形成システムの提供をその課題としている。
【課題を解決するための手段】
【００１１】
上記課題を達成するため本発明は次の構成を採用する。画像形成されたシートを部揃え集積するトレイに搬送するシート搬入経路に、シートの縁部に所定形状の切込みを形成するカッタ手段と、このカッタ手段を駆動する作動手段とを配置する。そしてこの作動手段を制御する制御手段には、搬入されたシートの区切り情報（見出し情報）に応じて上記切込みを形成するか否かを判別する判別手段を設けると共に、上記切込み形状は断裁手段によるトリミングカット後に見出し開口が形成されるようにする。更にその構成を詳述する。
【００１２】
順次画像形成されたシートを給送するシート搬入経路と、上記シート搬入経路からのシートを部揃え集積する集積トレイ手段と、上記集積トレイ手段で部揃え集積したシート束と表紙シートとを綴じ合わせる製本綴じ手段と、上記製本綴じ手段で製本綴じされたシート束の周縁の少なくとも一辺をトリミングカットする断裁手段とを備え、上記シート搬入経路には、順次給送されるシートの縁部に所定形状の切込みを形成するカッタ手段と、このカッタ手段を駆動する作動手段とを配置し、上記作動手段を制御する制御手段は、上記シート搬入経路に搬入されたシートの区切り情報に応じて上記切込みを形成するか否かを判別する判別手段を有し、上記切込み形状は上記断裁手段によるトリミングカット後に見出し開口が形成されるように設定する。
【００１３】
前記見出し開口は、前記切込み形状で一部の辺を形成し、残りの辺は前記トリミングカットで形成する。
【００１４】
前記シート搬入経路には、シートを一時的に静止する刃受ガイドを設け、前記カッタ手段は、上記刃受ガイド上のシートと直交する方向に上下動可能に配置する。
【００１５】
前記カッタ手段は、前記シート搬入経路に配置した円盤状回転刃で構成し、この回転軸は、シート搬送方向にシートを所定長さ切断するように構成する。
【００１６】
前記製本綴じ手段は、前記集積トレイ手段で部揃え集積されたシート束の背部に接着剤層を添付して表紙シートでくるみ製本するように構成する。
【００１７】
前記製本綴じ手段は、前記集積トレイ手段で部揃え集積されたシート束と表紙シートとをステップル綴じ製本するように構成する。
【００１８】
本発明に係わる画像形成システムは、シート上に所定の画像を形成する画像形成装置と、上記画像形成装置からのシートを部揃え集積して製本綴じする製本装置とから構成し、上記製本装置は上述の構成を備える。
【００１９】
画像形成されたシートを部揃え集積して製本綴じする製本方法であって、シート搬入経路から供給された中綴じシートを集積トレイ手段に集積する部揃えステップと、上記部揃えステップで、集積された中綴じシート束を製本綴じする製本綴じステップと、上記製本綴じステップからのシート束の周縁をトリミングカットする断裁ステップとから構成し、上記部揃えステップでシートを集積トレイに搬送するシート搬入経路にはシートの小口縁部に所定形状の切込みを形成するカッタ手段を配置し、このカッタ手段で集積トレイに搬送するシートの小口縁部に見出し抜き加工を施す。
【００２０】
前記見出し抜き加工では、最終仕上げされる見出し開口の一部の辺を形成し、残りの辺は前記断裁ステップで形成する。
【発明の効果】
【００２１】
本発明は、画像形成されたシートを下流側の集積トレイに搬送するシート搬入経路にシート縁部に所定形状の切込みを形成するカッタ手段と、その作動手段を配置する。そしてこの作動手段を制御する制御手段に、シートの区切り情報（見出し情報）に応じて切込みを形成するか否かを判別する判別手段を設けると共に、この切込み形状は断裁手段によるトリミングカット後に見出し開口が形成されるように設定したものであるから以下の効果を奏する。
【００２２】
本発明は画像形成されたシートを部揃え集積して製本綴じし、その後トリミングカットする一連の製本処理の過程で見出し抜き加工を施して小口縁に見出し表示部を形成するものであるから、トリミングカット量（カット幅）に適合した位置に見出し抜き加工を施すことが可能であり、その作業が容易である。
【００２３】
更に、本発明は部揃え集積する為に画像形成されたシートを搬送する過程でシートの縁部に所定形状の切込みを形成し、製本綴じ後のトリミングカットで見出し開口が形成されるようにしたものであるからシートの搬送経路中でシートをカットした紙片屑が生ずることがなく、その処理のための機構を必要としない。
【００２４】
従って、本発明はカット個所、カット長さなどが異なる見出し抜き加工をシートの搬送過程でシート毎に切り欠き形成する為、簡単なカッタ手段で構成することが出来る。これと共にシート搬送経路で紙片屑が生ずることが無く、紙粉が製本冊子内に混入することもない。
【発明を実施するための最良の形態】
【００２５】
以下図示の好適な実施の形態に基づいて本発明を詳述する。図１は、本発明に係わる製本装置と、これを用いた画像形成システムの全体構成の説明図であり、図２は製本装置の詳細説明図である。
【００２６】
図１に示す画像形成システムは、シートに順次印刷を施す画像形成装置Ａと、この画像形成装置Ａの下流側に付設された製本装置Ｂ、この製本装置Ｂの下流に配置されたフィニッシャ装置Ｃとから構成されている。そして画像形成装置Ａで画像形成したシートを製本装置Ｂで製本処理する。また製本処理しないシートについてはこの製本装置Ｂを通過してフィニッシャ装置Ｃでシートに後処理を施すように構成されている。
【００２７】
［画像形成装置の構成］
まず画像形成装置Ａは複写機、プリンタ、印刷機など種々の構造のものが採用可能であるが静電印刷装置を図示する。この画像形成装置Ａはケーシング１内に給紙部２と、印字部（画像形成手段；以下同様）３と、排紙部４と制御部（後述の制御ＣＰＵ７０）とが内蔵されている。給紙部２にはシートサイズに応じた複数のカセット５が準備され、制御部７０から指示されたサイズのシートが給紙経路６に繰り出される。この給紙経路６にはレジストローラ７が設けられ、シートを先端揃えした後所定のタイミングで下流側の印字部３に給送する。
【００２８】
印字部３には静電ドラム１０が設けられ、この静電ドラム１０の周囲には印字ヘッド９、現像器１１、転写チャージャ１２などが配置されている。そして印字ヘッド９は例えばレーザ発光器などで構成され、静電ドラム上に静電潜像を形成し、この潜像に現像器１１でトナーインクを付着し、転写チャージャ１２でシートに印刷する。この印刷シートは定着器１３で定着され排紙経路１７に搬出される。排紙部４には上記ケーシング１に形成した排紙口１４と排紙ローラ１５が配置されている。尚図示１６は循環経路であり、排紙経路１７からの印刷シートをスッチバック経路で表裏反転した後再びレジストローラ７に送り、印刷シートの裏面に画像形成する。このように片面若しくは両面に画像形成された印刷シートは排紙口１４から排紙ローラ１５で搬出される。
【００２９】
尚図示２０はスキャナユニットであり、上記印字ヘッド９で印刷する原稿画像を光学的に読み取る。その構造は一般的に知られているように原稿シートを載置セットするプラテン２３と、このプラテン２３に沿って原稿画像をスキャンするキャリッジ２１と、このキャリッジ２１からの光学像を光電変換する光学読取手段（例えばＣＣＤディバイス）２２とから構成されている。また図示のものは原稿シートを自動的にプラテンに給送する原稿送り装置２５がプラテン上に装備してある。
【００３０】
［画像形成制御部の構成］
そこで上述のように構成された画像形成装置Ａは、後述する制御部（画像形成制御部）７０で画像形成する際の処理モードが設定される。このモード設定は、「プリントアウトモード」「製本仕上げモード」「フィニッシャ仕上げモード」などに指定される。
【００３１】
「プリントアウトモード」は指定された画像データに従って指定されたサイズのシートに画像形成し排紙部４に搬出する。また、「製本仕上げモード」は指定された画像データに従って指定されたサイズのシートに画像を形成し、その画像形成後に指定されたサイズの表紙シートに表紙画像（タイトル画像）を形成して排紙部４に搬出する。そして排紙部４には後述する製本装置Ｂが連結され、この製本装置Ｂで画像ページ順に部揃え集積された中紙シート束と、所定の表紙画像を形成した表紙シートとを製本綴じする。製本綴じされたシート束はスタッカに収容される。
【００３２】
また「フィニッシャ仕上げモード」は指定された画像データに従って指定されたサイズのシートに画像を形成して排紙部４に搬出する。そして排紙部４には後述する製本装置Ｂが連設され、この製本装置Ｂの下流側にフィニッシャ装置Ｃが連結されている。そこで画像形成装置Ａからのシートは製本装置Ｂを経由してフィニッシャ装置（後処理装置）Ｃに移送される。このフィニッシャ装置Ｃでステップル綴じ、パンチ処理、捺印処理などの後処理を施し、排紙スタッカ３７に収納する。
【００３３】
［製本装置の構成］
次に、画像形成装置Ａに付設された製本装置Ｂについて説明する。この製本装置Ｂはケーシング３０内に印刷シートを束状に集積して部揃えする集積トレイ４０と、この集積トレイ４０からのシート束に接着糊を塗布する接着剤塗布手段５５と、接着剤を塗布されたシート束に表紙シートを綴じ合わせる表紙綴じ手段６０と、表紙綴じした冊子の３方向周縁を断裁する断裁手段６５から構成されている。
【００３４】
［搬送経路の構成］
まずケーシング３０に構成される搬送経路について説明する。上記ケーシング３０内には画像形成装置Ａの排紙口１４に連なる受入経路３１が設けられ、搬入口３１ａに画像形成装置Ａの排紙口１４からシートを搬入する。この受入経路３１から分岐して３２と表紙給送経路３４がそれぞれ連接され、分岐点に経路切換フラッパ３６が配置されている。そこで画像形成装置Ａで画像形成されたシートは、これが中綴じシートのときには経路切換フラッパ３６で中紙搬送経路３２に案内され、この搬送経路の出口端に配置されている集積トレイ４０に導かれる。この集積トレイ上で製本処理される中紙シートが部揃え集積され、この集積トレイ４０の下流側には部揃え集積したシート束を表紙綴じ位置Ｆを経て収納スタッカ６７に至る製本処理経路３３が連設されている。
【００３５】
一方、受入経路３１に送られたシートが表紙シートＳｈのときには経路切換フラッパ３６で表紙給送経路３４に案内され、この給送経路３４は製本処理経路３３と交差する表紙綴じ位置Ｆに表紙シートＳｈを給送するように構成されている。表紙給送経路３４には表紙綴じ位置Ｆの下流側に後処理経路３８が連設されている。図１に示すように上記受入経路３１と表紙給送経路３４はケーシング３０に略々水平方向に装置を横断する方向に、製本処理経路３３はケーシング３０に略々鉛直方向に装置を縦断する方向に配置され、中紙搬送経路３２は受入経路３１と集積トレイ４０を連ねる方向に配置されている。
【００３６】
このように中紙シート束を給送する製本処理経路３３と表紙シートＳｈを給送する表紙給送経路３４を異なる経路で構成し、両経路を交差するように構成したのは、中紙シート束を表紙シートＳｈでくるみ製本する為である。従って天糊製本などの場合には、表紙シートＳｈの給送経路を設けることなく図示受入経路３１から中紙搬送経路３２を経て集積トレイ４０に表紙シートＳｈを給送するように構成する。
【００３７】
上記受入経路３１には搬送ローラ３１ｒが、中紙搬送経路３２には搬送ローラ３２ｒが、上記表紙給送経路３４には搬送ローラ３４ｒが配置されている。また上記製本処理経路３３には後述するグリップ搬送手段４７と後述する束姿勢偏向手段６４と排紙ローラ６６が配置されている。同様に後処理経路３８には搬送ローラ３８ｒが配置されている。これらの搬送ローラは駆動モータに連結されている。
【００３８】
［インサータ装置］
一方、上記受入経路３１にはインサータ装置２６が連結してあり、画像形成装置Ａで印刷処理しない表紙シートＳｈを給紙トレイ２６ａから１枚ずつ分離して受入経路３１に供給するように構成してある。このインサータ装置２６は１つ若しくは複数段の給紙トレイ２６ａを備え、このトレイ先端には積載されたシートを１枚ずつ分離して給送する給紙手段と、この給紙手段の下流側に給紙経路２７が設けられ、前記受入経路３１に連結している。
【００３９】
［集積トレイの構成］
前記中紙搬送経路３２の排紙口３２ｂに配置された集積トレイ４０は排紙口３２ｂからのシートを束状に積載収納する。図２に示すように集積トレイ４０は略々水平姿勢に配置されたトレイ部材で構成され、その上方には正逆転ローラ４２ａと搬入ガイド４２ｂが設けられている。そして排紙口３２ｂからの印刷シートを搬入ガイド４２ｂで集積トレイ上に案内し、正逆転ローラ４２ａで収納する。この正逆転ローラ４２ａは正回転で印刷シートを集積トレイ４０の先端側に移送し、逆回転でトレイ後端（図１右端）に配置された後端規制部材４３にシート後端を突き当て規制する。また集積トレイ４０には図示しないシートサイド整合手段が設けられトレイ上に収納した印刷シートの両側縁を基準位置に幅寄せ整合する。このような構成で中紙搬送経路３２からの印刷シートは集積トレイ上に順次積み上げられ束状に部揃えされる。
【００４０】
［束厚さ検出手段］
また、上記集積トレイ４０には集積されたシート束の厚さを検知する束厚さ検出手段が配置されている。この束厚さ検出手段は図示しないが例えば集積トレイ４０に最上シートと当接するニップ片をトレイ上下方向に移動自在に配置し、このニップ片が集積トレイ上の最上シートと当接する位置をスライダックセンサなどで検出する。そしてこのニップ片の当接位置とホームポジションなどの基準位置との間の距離（間隔）を検出することによってトレイ上に集積されたシート束の束厚さを算出する。尚この束厚さの検出は集積トレイ上に全てのシートが集積された段階で例えば画像形成装置Ａからのジョブ終了信号で実行する。そしてこの束厚さ情報は後続する製本処理、例えば表紙シートＳｈを表紙綴じ位置Ｆに給送セットする際の位置の割出しに用いる。
【００４１】
上述の束厚さ検出手段（不図示）は、集積トレイ４０に配置しても、或いは後述するグリップ搬送手段４７に配置してもいずれでも良い。このグリップ搬送手段４７に束厚さ検出手段を配置する場合には、例えば後述する可動グリップ部材４７ｂの移動量（ニップ動作量）をスライドセンサＳＳｅ（図４参照）などで検出することによって固定グリップ部材４７ａとの間にニップされたシート束の厚さを検出することが出来る。更に束厚さ検出手段は、図２にＳｅ３で示す排紙口センサで集積トレイ４１に集積されるシートの端縁を検出し、その検出値をカウントすることによって集積トレイ上に集積される中紙シート束の総枚数を検知する。そしてこの総枚数に例えば平均的なシート厚さ又は最大シート厚さを乗算することによって束厚さを実測することなく検知することが出来る。
【００４２】
［グリップ搬送手段の構成］
前記製本処理経路３３には上記集積トレイ４０からシートを下流側の接着剤塗布位置Ｅに移送するグリップ搬送手段４７が配置されている。このグリップ搬送手段４７は図２に示すように集積トレイ４０に集積したシート束を水平姿勢から鉛直姿勢に偏向し、このシート束を略々鉛直方向に配置された製本処理経路３３に沿って接着剤塗布位置Ｅに搬送セットする。このため、集積トレイ４０は集積位置（図２実線）から引き渡し位置（図２破線）に移動し、この引き渡し位置で準備されたグリップ搬送手段４７にシート束を引き渡すようになっている。
【００４３】
そこで、図２破線位置に移動した集積トレイ４０からグリップ搬送手段４７でシート束を引き継ぎ搬送する。このグリップ搬送手段４７は、図４に示すようにシート束を把持する一対のグリップ部材４７ａ，４７ｂと、これらにグリップ動作を行わせるグリップモータＭＧとを搭載したグリッパユニットで構成されている。そしてこのグリップ搬送手段４７は装置フレームに回転軸４７ｒで回動可能に支持され、装置フレーム側に配置したユニット回転モータＭＵで旋回動される。このグリップ搬送手段４７に固定グリップ部材４７ａと可動グリップ部材４７ｂが装備され、可動グリップ部材４７ｂはグリップモータＭＧで固定グリップ部材４７ａ側に接近及び離間するようになっている。
【００４４】
これと同時に上記可動及び固定グリップ部材４７ａ，４７ｂはグリップモータＭＧと共にグリッパフレーム４７ｆに支持され、このグリッパフレーム４７ｆはユニットフレーム（不図示）にガイドレール４７ｇで図４上下方向に移動自在に支持されている。そしてシフトモータＭＳでピニオン４７ｐとラック４７Ｌによって上下駆動される。このような構成でグリップ搬送手段４７は、グリップモータＭＧで集積トレイ上のシート束をグリップ部材４７ａ，４７ｂで把持し、ユニット回転モータＭＵでシート束を水平姿勢から鉛直姿勢に偏向する。そしてこの垂直姿勢のシート束をグリップ部材４７ａ，４７ｂで把持した状態でシフトモータＭＳによって製本処理経路３３に沿って下流側に移送するように構成されている。
【００４５】
［接着剤塗布手段の構成］
前記製本処理経路３３の接着剤塗布位置Ｅには接着剤塗布手段５５が配置されている。この接着剤塗布手段５５は図３（ａ）に示すように熱溶融性の接着剤を収容する糊容器５６と、塗布ロール５７と、ロール回転モータＭＲとで構成されている。糊容器５６は液状接着剤収容室（以下液剤収容室という）５６ａと固形接着剤収容室（以下固形剤収容室という）５６ｂに区割され、液剤収容室５６ａには塗布ロール５７が回転自在に組み込まれている。また液剤収容室５６ａには接着剤の残量を検出する糊センサ５６Ｓが配置されている。図示の糊センサ５６Ｓは接着剤の温度センサを兼用し、液剤収容室内の液化した接着剤の温度を検出するのと同時に接着剤に浸された部位の温度差によって接着剤の残量を検出する。また、糊容器５６には電熱ヒータなどの加熱素子（加熱手段）５０が埋設してある。そしてこの糊センサ５６Ｓと加熱手段５０は後述する制御ＣＰＵ７５に結線され、液剤収容室内の接着剤を所定の溶融温度に温度調整する。また上記塗布ロール５７は耐熱性の多孔質材で構成され、糊を含侵してロール周囲に糊の層が盛り上がるように構成されている。
【００４６】
上述のように構成された糊容器５６はシート束に沿って往復駆動する。図３（ｂ）にその概念図を示すが、シート束の下端縁（製本時の背表紙部）Ｓ１に対し糊容器５６は短い長さ（寸法）に形成してあり、これに内蔵した塗布ロール５７と伴にシート束の下端縁Ｓ１に沿って移動するように装置フレームのガイドレール５２に支持されている。そしてこの糊容器５６は装置フレームに取り付けられたタイミングベルト５３に連結され、このタイミングベルト５３には駆動モータＭＴが連結してある。
【００４７】
そこで糊容器５６はホームポジションＨＰと、シート束に沿って復動作を開始するリターン位置ＲＰとの間で前記駆動モータＭＴによって往復動する。そして各位置は図３（ｂ）に示す位置関係に設定され、リターン位置ＲＰはシート幅のサイズ情報によって設定される。また、装置電源投入時（イニシャル時）にはホームポジションＨＰに設定され、先行する例えば前記グリップ搬送手段４７に設けたグリップエンドセンサＳｇのシートグリップ信号から所定時間後（シート束が接着剤塗布位置Ｅに到達する見込み時間）にホームポジションＨＰからリターン位置ＲＰに向けて移動する。この移動と同時に塗布ロール５７はロール回転モータＭＲで回転を開始する。尚図示ＳＰは上記糊容器５６のホームポジションセンサである。
【００４８】
このように構成された接着剤塗布手段５５は駆動モータＭＴの回転で、糊容器５６はガイドレール５２に沿って図３（ｂ）左側から右側に移動を開始する。この往路では塗布ロール５７はシート束に圧接してシート端部をバラけさせ、リターン位置ＲＰからホームポジションＨＰに戻る復路ではシート端と所定のギャップを形成して接着剤を塗布するように、前述のグリップ搬送手段４７の送り量を図示しない昇降モータで調整するようになっている。
【００４９】
［表紙給送経路の構成］
前記表紙給送経路３４は経路切換フラッパ３６から表紙シートＳｈを表紙綴じ位置Ｆに案内する。表紙給送経路３４には搬送ローラ３４ｒが配置され、受入経路３１からの表紙シートＳｈを経路切換フラッパ３６で搬入する。この表紙給送経路３４に搬入された表紙シートＳｈは製本処理経路３３と交差する表紙綴じ位置Ｆに表紙シートＳｈを位置決めセットする。このためこの表紙給送経路３４には表紙シートの搬送方向前後及び搬送方向左右側縁を整合するアライニング機構３４ａｒが配置されている。
【００５０】
アライニング機構３４ａｒは例えば次のような機構を表紙給送経路３４に設ける。表紙給送経路内に進入したシートの先端又は後端を突当規制する規制ストッパと、このストッパにシートを移送するアライニングローラと、シート側縁を位置規制する整合ガイド（不図示）で構成する。そして表紙給送経路３４内に進入した表紙シートＳｈを正逆転ローラ（アライニングローラ）で逆転させシート後端を規制ストッパに突当規制する。これと共に規制ストッパに位置決めされたシートを搬送直交方向に幅寄せ移動させて左右側縁を位置決めする。その後正逆転ローラを再起動させてシートを表紙綴じ位置Ｆに向けて給送する。このとき正逆転ローラと搬送ローラ３４ｒは同一周速度に設定され、その送り量を例えばＰＷＭ制御で正確に制御する。これによって表紙シートＳｈのセンターを表紙綴じ位置Ｆに位置決めセットすることが出来る。
【００５１】
［表紙綴じ手段の構成］
上記製本処理経路３３の表紙綴じ位置Ｆには表紙綴じ手段６０が配置されている。この表紙綴じ手段６０は図５（ａ）に示すように背当プレート６１と背折プレート６２と折ロール６３で構成される。この表紙綴じ位置Ｆには前述の表紙給送経路３４が配置され、画像形成装置Ａ又はインサータ装置２６から表紙シートＳｈを給送する。そこで背当プレート６１は表紙シートＳｈをバックアップする板状部材で構成され、製本処理経路３３に進退自在に配置されている。この背当プレート６１に支持された表紙シートに（中紙）シート束が逆Ｔ字状に接合される。そこで上記背折プレート６２は左右一対のプレス部材で構成され、逆Ｔ字状に接合された表紙シートの背部を背折り成型するため、図示しない駆動手段で互いに接近及び離反するように構成されている。また上記折ロール６３は背折り成型されたシート束を挟圧して表装仕上げする一対のローラで構成されている。
【００５２】
図５に示す背当プレート６１と背折プレート６２の構成について説明する。図５（ａ）に示すように表紙綴じ位置Ｆには表紙給送経路３４を構成する搬送ガイド３４ｇが設けられている。この搬送ガイド３４ｇは、図示下側ガイドは装置フレームに固定されたガイド板で構成され、上側ガイドは実線で示すシートガイド姿勢と破線で示す退避姿勢との間で開閉自在に構成されている。そしてこの上側ガイドにはガイド姿勢と退避姿勢との間で姿勢偏向するカムなどのシフト手段（不図示）が配置されている。
【００５３】
そこで背当プレート６１は表紙給送経路３４の表紙綴じ位置Ｆに配置され、表紙給送経路３４を給送される表紙シートＳｈを表紙綴じ位置Ｆに案内するプレート部材で構成されている。この背当プレート６１は表紙綴じ位置Ｆで表紙シートＳｈに対して中紙シート束を逆Ｔ字状に突き当て整合し、後述する背折プレート６２で背折成形する際に表紙シートＳｈをバックアップ支持する。このように構成された背当プレート６１は、製本処理経路３３に進入退避自在に構成されている。つまり表紙綴じ位置Ｆに表紙シートＳｈを給送する際、及び中紙シート束をくるみ製本する際には背当プレート６１は製本処理経路内に進入した位置に位置する図５（ｂ）、（ｃ）の状態となる。また、これらの処理後に製本シート束を下流側に搬出する際にはその排紙動作を妨害しないように製本処理経路３３から外部に退避する図５（ｄ）の状態となる。
【００５４】
背折プレート６２は表紙綴じ位置Ｆに配置され、表紙シートの背部をプレス成型するように左右一対の板部材或いはブロック部材で構成される。左右の背折プレート６２Ｌ、６２Ｒは互いに接近及び離間するようにガイド部材に配置され図示しないシフトモータに連結されている。そしてこの左右一対配置された背折プレート６２は、図５（ａ）の互いに接近した密着状態で表紙シートＳｈを表紙綴じ位置Ｆに案内ガイドし、同図（ｂ）の離間状態で表紙シートＳｈに中紙シート束を接合する
【００５５】
そして左右一対の背折プレート６２Ｌ、６２Ｒはシフトモータ（不図示）の作用で左右離間した位置から互いに圧接した位置に移動する。すると表紙シートＳｈと中紙シート束とは製本綴じ処理されることとなる。
【００５６】
［断裁手段の構成］
上記折ロール６３の下流側に位置する断裁位置Ｇにはシート束の天地方向を偏向する束姿勢偏向手段６４と、シート束の周縁を断裁する断裁手段６５が配置してある。上記束姿勢偏向手段６４は表紙綴じ位置Ｆから表装されたシート束を所定方向（姿勢）に偏向して下流側の断裁手段６５又は収納スタッカ６７に給送する。また断裁手段６５はシート束の周縁を切り揃える。このため束姿勢偏向手段６４は前記折ロール６３から送られたシート束を把持して回転する回転テーブル６４ａ、６４ｂを備える。図２に示すようにこの回転テーブル６４ａ、６４ｂは装置フレームに昇降自在に取り付けられたユニットフレーム（不図示）に設けられている。このユニットフレームに製本処理経路３３を挟んで一対の回転テーブル６４ａ、６４ｂがそれぞれ回転自在に軸受支持され、一方の可動回転テーブル６４ｂはシート束厚さ方向（製本処理経路３３に対して直交する方向）に移動自在に支持されている。そして各回転テーブル６４ａ、６４ｂには製本処理経路内でシート束を姿勢偏向するように旋回モータ（不図示）が設けられている。
【００５７】
従って製本処理経路内に導かれたシート束は、左右一対の回転テーブル６４ａ、６４ｂでグリップ把持され図示しない旋回モータによってシート束の姿勢方向を偏向する。例えば背部を下側に搬入されたシート束を１８０度旋回して小口部を下側に下流側の排紙ローラ６６に送る。またシート束を順次９０度ずつ回転して下流側の断裁位置Ｇに天部・地部・小口部をそれぞれ下側に偏向させシート束の周縁３方向を断裁するトリミングカットが可能となる。なお、上記可動回転テーブル６４ｂにはグリップセンサ（図示せず）が設けられ、左右の回転テーブル間にシート束が確実にグリップされたのを検知し、この検知後回転テーブル６４ａ、６４ｂを旋回駆動するように構成されている。そして上記ユニットフレームは昇降モータＭＡによってシート束を製本処理経路３３に沿って上下昇降させるように構成されている。
【００５８】
そして上記回転テーブル６４ａ、６４ｂは図６に示すようにこれらを搭載したユニットフレーム６４ｆが製本処理経路３３に沿って上下動自在に構成され、このユニットフレーム６４ｆは昇降モータＭＡに移送ベルト６４Ｖで連結されている。そこでこの回転テーブル６４ａ、６４ｂで製本綴じ後のシート束を下流側の断裁位置Ｇに位置付ける。
【００５９】
上記束姿勢偏向手段６４の下流側には断裁手段６５が配置されている。この断裁手段６５はシート束の断裁縁を刃受部材６５ａに押圧支持する断裁縁プレス部材６５ｂと、断裁刃ユニット６５ｃで構成されている。上記断裁縁プレス部材６５ｂは製本処理経路３３に配置した刃受部材６５ａと対向する位置に配置され、図示しない駆動手段によってシート束と直交する方向に移動する加圧部材から構成されている。上記断裁刃ユニット６５ｃは平刃状の断裁刃６５ｘと、これを駆動するカッタモータＭＣとから構成されている。このような構成の断裁手段６５により、冊子状に製本処理されたシート束の背部を除く周縁を所定量裁断して切り揃える。
【００６０】
上記断裁位置Ｇの下流側には排紙ローラ６６と収納スタッカ６７が配置されている。この収納スタッカ６７は図２に示すようにシート束を立位姿勢で収納するようになっている。そしてこの収納スタッカ６７は図１に示すようにケーシング３０に引出状に配置され、装置フロント側（図１紙面手前側）に引出可能に構成されている。装置フロント側に引き出した状態で使用者が視認できるようになっている。尚図示６７Ｓｆは満杯検出センサであり、収納スタッカ６７に収納されるシート束の満杯状態を検出して、オペレータにその除去を警告する。
【００６１】
一方、前記製本処理経路３３は表紙綴じ位置Ｆから上記収納スタッカ６７にシート束を導く排紙経路３３ａを構成し、この排紙経路３３ａに上記排紙ローラ６６が配置されている。この排紙ローラ６６は一対のローラ対で構成されシート束をニップして収納スタッカ６７に案内する排紙手段を構成している。
【００６２】
［屑収納ボックスの構成］
前記断裁位置Ｇの下方には収納スタッカ６７と並列に屑収納ボックス６８が設けられ、断裁刃６５ｘで切断した紙片を収納する。このため、断裁位置Ｇの直下にはスイーパ手段６９が設けられ、このスイーパ手段６９は図示しない駆動モータによって図２左右方向に揺動し、シート束を断裁する際は断裁位置Ｇの直下に位置して切断片を屑収納ボックス６８に案内し、断裁後は断裁位置Ｇから退避してシート束を収納スタッカ６７に収容可能に退避するようになっている。また、上記屑収納ボックス６８には内部に収納された切断紙片の収納量を検出するフル検出センサ（満杯検出センサ）６８Ｓｆとニアフル検出センサ６８Ｓｎが配置してある。このニアフル検出センサ６８Ｓｎはシート束の断裁中に満杯とならないように例えばシート束の周縁を断裁する１回分に相当する紙片を収容可能な状態でこれを検出するように配置されている。
【００６３】
［フィニッシャ装置の構成］
上述の製本装置Ｂにはフィニッシャ装置Ｃが配置され、このフィニッシャ装置Ｃは前記表紙給送経路３４に連なる後処理経路３８が設けられ、この後処理経路３８にステップルユニット、パンチユニット、スタンプユニットなどの後処理機器が配置され、画像形成装置Ａからの印刷シートを、表紙給送経路３４を介して受け取り、この印刷シートにステップル処理、パンチ処理、捺印処理を施し排紙トレイ３７に搬出する。また、このような後処理を施すことのない画像形成装置Ａからのシートを排紙トレイ３７に収納するようになっている。
【００６４】
上述の製本装置Ｂの構成において、画像形成装置Ａで画像形成されたシートは集積トレイ４０で部揃え集積され、その背表紙部に接着剤塗布手段５５で接着剤が塗布される。そして下流側の表紙綴じ位置Ｆに表紙シートＳｈが給送セットされ、両シートは逆Ｔ字状に接合される。その後このシート束は背折り成形され、周縁３方を断裁仕上げされる。そこで本発明は中紙シート束を集積トレイ４０に集積する際にこのシートの小口端縁に所定の切込み（以下「ノッチ」という）を形成し、製本後のトリミングカット時に見出し部（インデックスタグ）を形成することを特徴としている。以下この見出し部の「インデックス形状」と、見出し抜き加工を施す「カッタ機構」について説明する。
【００６５】
［インデックス形状］
図１０（ａ）（ｂ）に製本処理時に形成するインデックスの形状について、その一例を示す。製本仕上げされた状態で、コンテンツ情報が印刷されている中紙シートには見出し（インデックス）をタグとして形成する。このタグはシート束の小口縁から外方に突出したタグ（ａ）図に示すｉｔ１、ｉｔ２、ｉｔ３と、見出しページの上方に重なるページの端縁を切り欠く（ｂ）図に示す見出し開口ｉｔ４、ｉｔ５が知られている。これらのタグ（以下凸部見出しｉｔ１〜ｉｔ３、及び凹部見出しｉｔ４、ｉｔ５を単に「インデックスタグ」という）は中紙シート束に区割される見出しページに形成される。このため製本装置Ｂにはインデックスタグｉｔ１〜ｉｔ５を形成するカッタ手段８０と、その作動手段８３と、制御手段７８（後述の判別手段）が設けられている。
【００６６】
［カッタ手段］
上述のようにインデックスタグｉｔを形成する為、本発明は集積トレイ４０の上流側にカッタ手段８０を設け、このカッタ手段８０で画像形成装置Ａから集積トレイ４０に至る中紙シートに切込みｃｋを形成することを特徴としている。
【００６７】
前述のシート搬入経路（受入経路３１、中紙搬送経路３２）にはカッタ手段８０が備えられ、経路内を通過するシートに所定形状の切込みｃｋを形成する。このカッタ手段８０の構成について図７に示す第１実施形態と、図９に示す第２実施形態について説明する。
【００６８】
［カッタ手段の構成（第１実施形態）］
図７に示すカッタ手段８０は、中紙搬送経路３２に配置された円盤状回転刃８１と、刃受ガイド８２と、作動手段８３と、スリッタ８４と、幅寄せ整合手段８８で構成されている。図７（ａ）に示すように中紙搬送経路３２には経路を構成するガイド部材３２ｇと、搬送ローラ３２ｒが備えられている。この搬送ローラ３２ｒは前述したように駆動モータ（不図示）に連結され搬送経路内を上流から下流に向けて中紙シートを移送する。この中紙搬送経路３２に円盤状回転刃８１とスリッタ８４が配置されている。
【００６９】
円盤状回転刃８１は装置フレーム３０ｆに軸承された駆動モータ（作動手段）８３ａが連結されている。そして円盤状回転刃８１の歯先は中紙搬送経路３２を構成する刃受ガイド８２上のシートを切断するように配置されている。この円盤状回転刃８１は切断線がシートの搬送方向と一致するよう配置され、作動手段８３（駆動モータ８３ａ）で搬送方向に回転する（搬送反対方向であっても良い）ようになっている。一方刃受ガイド８２は中紙搬送経路３２を構成する搬送ガイド３２ｇに埋設された硬質ゴム、合成樹脂などの軟質材で構成されている。
【００７０】
また上記円盤状回転刃８１には図８（ｃ）に示すようにＤカット部８１ｄが形成してある。この円盤状回転刃８１で中紙シートの小口端縁に切込みｃｋ１を形成する。このとき図８（ｄ）に示すように切込みｃｋ１の切断開始点とシート端縁との間のギャップｇａを非切断部として残す。このため円盤状回転刃８１には回転角度を制御するエンコーダ（不図示）が設けられ、Ｄカット部８１ｄの回転位置を制御する。つまりＤカット部８１ｄが図８（ｃ）の状態でシートを同図左側に移送し、ギャップｇａが非切断部として形成された段階で円盤状回転刃８１を回転起動して切込みｃｋ１を形成する。尚、後述するがこのギャップｇａは図８（ｄ）に示す断裁幅ｙ１より小さく（ｇａ＜ｙ１）設定されている。
【００７１】
上述の構成によって中紙シートの小口端縁に切込みｃｋ１が形成される。そこで切込みｃｋ１が所定長さ（スリット長さ）ｋＬ１に形成された段階で、円盤状回転刃８１を停止し、シートから上方に退避させる。この円盤状回転刃８１の昇降機構は省略するがカム・レバー機構などで構成する。
【００７２】
上記円盤状回転刃８１と隣接して装置フレーム３０ｆにはスリッタ８４が配置されている。このスリッタ８４は円盤状回転刃８１で形成した切込みｃｋ１に連なる交差方向の切込みｃｋ２（図８（ｄ）参照）を形成する。この為装置フレーム３０ｆには平板状のスリッタ８４が上下動自在にガイドコロ、レールなどで支持されている（図８（ａ）、（ｂ）参照）。このスリッタ８４には偏心カム８５が嵌合され、この偏心カム８５の回転でスリッタ８４が前述の刃受ガイド８２に対して上下動するようになっている。図示８３ｂは作動手段であり、偏心カム８５を回転する駆動モータで構成されている。図示８６は加圧スプリングである。
【００７３】
上記スリッタ８４は中紙搬送経路３２を送られる中紙シートに対して所定角度α傾斜して切込みｃｋ２を形成するように装置フレーム３０ｆに配置されている。従って前述の円盤状回転刃８１で切込みｃｋ１を形成し、この切込みｃｋ１が所定長さ（ｋＬ１）に形成されたとき、この切込み端に連なるように切込みｃｋ２を形成することが可能となる。
【００７４】
［カッタ手段の構成（第２実施形態）］
次に上述のカッタ機構とは異なる実施形態を図９に従って説明する。図９のカッタ機構はプレス型でシートに切込みを形成する場合を示し、平板状切断刃９０が装置フレーム３０ｆに昇降自在に軸承されている。９０ｐはガイドピンである。この平板状切断刃９０には偏心カム８６と復帰バネ８７が係合するように配置されている。この偏心カム８６には作動手段（駆動モータ）８３ｃが連結されている。このように平板状切断刃９０は装置フレーム３０ｆにガイドピン９０ｐで上下昇降自在に支持され、作動手段８３ｃで偏心カム９１を回転させて上方の待機位置から下方の作動位置に平板状切断刃９０を降下させる。この平板状切断刃９０は復帰バネ８７で作動位置から退避位置に上昇するようになっている。
【００７５】
上記平板状切断刃９０の形状について説明すると、平板状切断刃９０は図９（ｂ）に示す略々Ｌ字形状に形成され、シート端縁に同図ｋＬ１、ｋＬ２、ｋＬ３のスリット長さの切込みｃｋ１〜ｃｋ３を形成するように構成されている。そこで同図（ｂ）に示すように搬送ガイド３２ｇに沿って中紙シートを搬送ローラ３２ｒで同図左方向に移動する。このシートの移動量で中紙シートの小口端縁のどの部位にインデックスタグを形成するかが設定される。つまり図１０（ａ）で図示するようにインデックスタグｉｔ３は切込みｃｋ３で形成され、インデックスタグｉｔ２は切込みｃｋ２で、インデックスタグｉｔ１は切込みｃｋ１で形成されることとなる。
【００７６】
［幅寄せ整合手段］
上記第１実施形態（図７、図８）、第２実施形態（図９）いずれの場合も中紙シートの側縁を位置決め整合する幅寄せ整合手段８８が中紙搬送経路３２に設けられている。以下にこの幅寄せ整合手段８８について説明する。この幅寄せ整合手段８８は図７（ａ）に示すように搬送ローラ３２ｒで給送されるシートの側縁（搬送直交方向縁）を規制する。これは前述のカッタ手段８０で切込みｃｋを形成する際にこのシートが傾斜している場合、シート側縁が左右いずれかに位置ズレしている場合には、形成される切込み幅がその都度異なって製本品位を劣化させる問題がある。また中紙シートのサイズが異なる場合にはシート幅方向側縁を基準に一致させ、この基準に従って切込みを形成する必要が生ずる。
【００７７】
このため幅寄せ整合手段８８はシート幅方向に位置移動自在でシート側縁を突当規制する規制板８８ａと、この規制板８８ａをシート幅方向に位置移動するラック歯車８８ｒと、オフセットモータ８８Ｍで構成されている。つまり規制板８８ａは装置フレーム３０ｆに摺動自在に取付けられ、ラック歯車８８ｒ、ピニオン８８ｐを介してオフセットモータ８８Ｍに連結されている。そしてホームポジションにポジションセンサ８８Ｓが配置され、このポジションセンサ８８Ｓからの検知信号を基準に規制板８８ａを所定量位置移動する。この規制板８８ａの移動でシート側縁は基準ラインに位置するように位置移動される。
【００７８】
従って、後述する制御手段はシートが搬送ローラ３２ｒで中紙搬送経路３２の所定位置に給送されたとき、搬送ローラ３２ｒを停止してシートから上方に離間させる。そして規制板８８ａをホームポジションから所定量（シートサイズに応じて予め設定されている）移動する。するとシート側縁は基準位置に一致するように幅寄せ移動される。次に制御手段は搬送ローラ３２ｒをシートと係合する位置に復帰させ給紙方向に搬送する。このシートの搬送とタイミングを合わせて前述の円盤状回転刃８１又は平板状切断刃９０でシートに切込みｃｋを形成する。
【００７９】
尚図示しないが中紙搬送経路３２にはシートの搬送方向前後端を規制するレジスト手段（不図示）が設けられている。そして中紙搬送経路３２に送られたシートは、前後端位置決め（レジスト規制）、次いで幅方向位置決め（上述の幅寄せ整合手段）され、その後カッタ手段（８０、９０）で切込みｃｋを施す手順で制御される。
【００８０】
［制御手段の構成］
次に上述の装置に於ける制御構成を図１２に基づいて説明する。図１に示すような画像形成装置Ａと製本装置Ｂとを連結したシステムでは、例えば画像形成装置Ａに備えられた制御部（制御ＣＰＵ）７０にコントロールパネル７１を設ける。このコントロールパネル７１は前述の画像形成装置Ａのデータ管理、シートサイズ選別、画像形成、給排紙制御などを司る。このため、コントロールパネル７１には入力手段７３と表示手段７４が備えられ、キィボードなどの入力手段７３から、画像形成条件が設定され、その内容がＬＣＤなどの表示手段７４に表示される。
【００８１】
上記コントロールパネル７１で画像形成条件と仕上げ処理モードが設定される。画像形成条件はモノクロ、カラーなどの色指定と、拡大縮小率設定、画像形成部数などとして設定される。仕上げ処理モードは、前述した「プリントアウトモード」「製本仕上げモード」「フィニッシャ仕上げモード」などの後処理仕様が設定される。
【００８２】
上記制御部（制御ＣＰＵ）７０には、画像形成条件設定手段７２ｂと、モード設定手段７２ａと、トリミングカット量設定手段７２ｃが設けられている。そして制御ＣＰＵ７０はコントロールパネル７１で設定された画像形成条件と仕上げ処理モードに応じたシートサイズを選択し、給紙部２からシートを繰り出して画像形成手段３で画像形成して排紙口１４から排出する。このように画像形成装置Ａで画像形成するシートと、画像を形成するレイアウトが設定される。従って後述する製本装置Ｂでは画像形成装置Ａで設定されたサイズのシートに後処理（製本仕様など）を考慮したレイアウト（余白割付けなど）で画像形成される。このレイアウト構成で後述する製本処理後のトリミングカット量が設定される場合がある。
【００８３】
［製本装置の制御構成］
製本装置Ｂの制御部には制御ＣＰＵ７５が設けられている。この制御ＣＰＵ７５は画像形成装置Ａのモード設定手段７２ａで製本仕上げモードが設定されると製本処理実行プログラムをＲＯＭ７６から呼び出して製本処理動作を実行する。この制御ＣＰＵ７５には画像形成装置Ａの制御ＣＰＵ７０から「後処理モードの指示コマンド」と「中紙シートのサイズ情報」と「表紙シートのサイズ情報」と「画像形成のページ区切り情報」と「ジョブエンド信号」と「画像形成の総ページ数情報」などが信号伝達される。
【００８４】
上記制御ＣＰＵ７５には前記受入経路３１、製本処理経路３３、表紙給送経路３４に配置されているシートセンサＳｅ１乃至Ｓｅ６の検出信号が伝達されるように接続されている。そこで制御ＣＰＵ７５は「シート給送制御部７５ｘ」「見出し抜き制御部７５ｙ」、「集積トレイ制御部７５ａ」「接着剤塗布手段制御部７５ｂ」、「表紙綴じ手段制御部７５ｃ」「断裁手段制御部７５ｄ」「スタック制御部７５ｅ」が備えている。この各制御部で制御ＣＰＵ７５は図１３に示すフローチャートに従って製本処理を実行する。
【００８５】
上記シート給送制御部７５ｘは、画像形成装置Ａからのシートを集積トレイ４０に搬送してこの集積トレイ上に部揃え集積する。このためシート給送制御部７５ｘは、搬入口３１ａに送られたシートを受入経路３１、経路切換えフラッパ３６、中紙搬送経路３２の順に搬送する。このときシート給送制御部７５ｘは中紙搬送経路３２に配置されたシートを整合する。この整合はシート搬送方向の先端又は後端を基準に位置合わせ（前述のレジスト規制）する。次いでシート給送制御部７５ｘはシートの搬送直交方向側縁を基準に前述の幅寄せ整合手段８８で位置合わせするように構成されている。
【００８６】
上記見出し抜き制御部７５ｙは、中紙搬送経路３２に送られた画像形成済のシートの小口端縁に切込みｃｋを形成する。このため見出し抜き制御部７５ｙは前述のカッタ手段（円盤状回転刃８１、平板状切断刃９０）の作動手段（駆動モータ）８３ａ、８３ｂ、８３ｃを制御するようにそれぞれのドライバ回路７９ａ〜７９ｃに接続されている。これと共に見出し抜き制御部７５ｙには判別手段（制御手段）７８がＣＰＵ内部に構成されている。この判別手段（制御手段）７８は画像形成装置Ａからの見出しページ情報（ページ区切り情報）に基づいて切込みｃｋを形成するか否かを判別する。例えば画像形成装置Ａからインデックスタグｉｔ１（図１０（ａ）参照）を形成するページは１０頁、タグｉｔ２を形成するページは２０頁、タグｉｔ３を形成するページは３０頁と指定された場合（説明上の仮定）には判別手段７８はページ１〜９頁には切込みｋＬ１を形成し、ページ１０〜１９頁には切込みｋＬ２を形成し、ページ２０〜２９頁には切込みｋＬ３を形成するように判別する。
【００８７】
そこで見出し抜き制御部７５ｙは作動手段８３を制御してカッタ手段８０（円盤状回転刃８１、平板状切断刃９０）を作動する。このカッタ手段８０でシートの小口縁に形成する切込みｃｋの幅位置は、既に上記幅寄せ整合手段８８で位置決めされている。つまり幅寄せ整合手段８８によるシート側縁（小口縁）の位置決めは、画像形成装置Ａから送られたトリミングカット量（図１１（ａ）にｘ１で示す）とインデックスタグの幅（予め設定され図１１（ｃ）にＴｘで示す）とからシート側縁の整合位置は（ｘ１＋Ｔｘ）に設定される。
【００８８】
［製本処理動作の説明］
次に図１３のフローチャートに従って上述の制御ＣＰＵ７５による製本処理動作を説明する。前記画像形成装置Ａのコントロールパネル７１で画像形成条件と後処理モードを設定する（Ｓｔ００１）。この後処理モードは例えば「プリントアウトモード」「製本処理モード」「ステップルモード」「スタンプモード」「パンチモード」「ジョグモード」などに設定する。「プリントアウトモード」は画像形成したシートを製本及び後処理することなく排紙スタッカ３７に搬出収納する。「製本処理モード」は画像形成されたシートを部揃え集積して表紙シートと綴合わせて収納スタッカ６７に収納する。また、「ステップルモード」は画像形成されたシートをフィニッシャ装置Ｃに備えられたステップルユニットによってステップル綴じし、スタンプモードは捺印処理し、同様にパンチモードはパンチ処理を、ジョグモードは仕分け処理をそれぞれフィニッシャ装置Ｃで実行し、その後排紙スタッカ３７に収納する。
【００８９】
そこで後処理モードとして「製本処理モード」が選択された場合、画像形成装置Ａは画像形成動作を実行し、画像形成したシートを排紙口１４に搬出する（Ｓｔ００２）。製本装置Ｂではこのシートを受入経路３１に受入れる。このとき制御ＣＰＵ７５は経路切換フラッパ３６を図２の状態に位置させてシートを中紙搬送経路３２に案内する。このシートは搬送ローラ３２ｒで排紙口３２ｂに送られ、集積トレイ上に順次積載収納する（Ｓｔ００３）。
【００９０】
このシート部揃え集積におけるシート給送制御部７５ｘと見出し抜き制御部７５ｙの動作について図１４に従って説明する。図１４に示すように画像形成装置Ａから中紙シートが送られるとシート給送制御部７５ｘは受入経路３１の搬送ローラ３１ｒを駆動し、同時に経路切換フラッパ３６で中紙搬送経路側にシートを案内する。この中紙搬送経路３２でシート給送制御部７５ｘはシートの搬送方向先端又は後端を基準に位置合わせする（Ｓｔ００３ａ）。これは中紙搬送経路３２を搬送されるシートのスキューを修正し、同時に先後端位置を基準に合わせる。この位置合わせは前述したレジスト機構（不図示）で実行する。次にシート給送制御部７５ｘは、シートの搬送直交方向側縁を基準位置に合わせする（Ｓｔ００３ｂ）。この位置合わせは幅寄せ整合手段８８で実行するが、この幅寄せの際、シート給送制御部７５ｘは画像形成装置Ａからトリミングカット量情報と、タグ位置情報（タグを付するか否か、タグ位置情報）を受信する。そしてタグを付する情報が発せられているときは画像形成装置Ａから送られたトリミングカット量ｘ１とインデックスタグ幅Ｔｘとからシート側縁の整合位置を（ｘ１＋Ｔｘ）に設定する。
【００９１】
次に見出し抜き制御部７５ｙは判別手段７８で画像形成装置Ａからの情報でタグ形成しないと判断したときには次ステップ（後述のＳｔ００４）に移行する。またこの判断でタグ形成すると判断したときにはカッタ手段８０を作動して切込みｃｋを形成する（Ｓｔ００３ｄ）。この切込みはタグ位置情報に基づいてシートの小口縁に指定された位置に切り込み形成する。
【００９２】
そこで後述する断裁処理ステップＳｔ２０でシート周縁３方向が断裁されるとインデックスタグｉｔ１、ｉｔ２、ｉｔ３（図１０（ａ）に示す）が形成される。
【００９３】
上述のようにタグ情報に基づいて切込みｃｋが施された中紙シートは集積トレイ４０に積載収納される（上述のステップＳｔ００３）。そこで画像形成装置Ａからジョブ終了信号（Ｓｔ００４）を受けると、制御ＣＰＵ７５は前記グリップ搬送手段４７で集積トレイ上のシート束を搬出し、その束姿勢を９０度偏向する。これによって集積トレイ上に部揃えされたシート束は水平姿勢から鉛直姿勢に偏向され製本処理経路３３を下流側の接着剤塗布位置Ｅに移送される（Ｓｔ００５）。
【００９４】
上記シート束の接着剤塗布位置Ｅへの給送セットと前後して制御ＣＰＵ７５は表紙シートＳｈを表紙給送経路３４から給送する。この表紙シートＳｈは画像形成装置Ａから画像形成されて供給される場合と前記インサータ装置２６から供給される場合がある。インサータ装置２６から供給する場合には制御ＣＰＵ７５は給紙手段（図示せず）を作動して給紙トレイ２６ａからシートを１枚ずつ分離して給紙経路２７に給送し、受入経路３１に搬送する。
【００９５】
また、表紙シートＳｈを画像形成装置Ａで画像形成する場合は前述のコントロールパネル７１は所定サイズの表紙シートを選択して画像形成手段３に送り、その背表紙部又は表表紙部にタイトル画像を形成する。そして排紙口１４に搬出された表紙シートＳｈは受入経路３１に引き継がれる。このように受入経路３１に送られた表紙シートＳｈは表紙給送経路３４のアライニングローラで表紙綴じ位置Ｆに向けて給送される。
【００９６】
制御ＣＰＵ７５は、表紙給送経路３４に沿って送られた表紙シートの先端をシート先端センサ（図示せず）が検知すると、その検知信号から所定の遅延時間の後、アライニングローラの駆動モータを停止する。すると表紙シートは表紙綴じ位置Ｆに給送セットされることとなる（Ｓｔ００６）。
【００９７】
以上のように表紙シートが表紙綴じ位置Ｆにセットされた後、制御ＣＰＵ７５は接着剤塗布手段５５を駆動して接着剤塗布位置Ｅにセットされているシート束に接着剤を塗布する（Ｓｔ００７）。塗布ロール５７を備えた糊容器５６は図３（ｂ）右方向にシート束の下端縁Ｓ１に沿って移動し、ロール表面に含浸した接着剤をシート束に塗布する。
【００９８】
この接着剤塗布動作の終了後、制御ＣＰＵ７５はシート束を前記グリップ搬送手段４７で下流側の表紙綴じ位置Ｆに移送する。するとこの位置には表紙シートＳｈがセットされているため表紙シートは背当プレート６１にバックアップされ、表紙シートＳｈとシート束が逆Ｔ字状に接合される。次いでシート束はこの状態で前記背折プレート６２が表紙シートの背部をプレス成形して表装する（Ｓｔ００８）。
【００９９】
以上の表装処理の後、制御ＣＰＵ７５は断裁モードが選択されているか否か判断する（Ｓｔ００９）。断裁モードの場合にはグリップ搬送手段４７をシート束から解除して初期位置に復帰させる。このとき断裁刃６５ｘは断裁位置Ｇに位置付けられ、落下する表装シート束を受け止める（Ｓｔ０１０）。この状態で可動回転テーブル６４ｂを待機位置からシート把持位置に移動して、そして固定回転テーブル６４ａとの間で表装シート束をニップ保持する（Ｓｔ０１１）。次いで制御ＣＰＵ７５は断裁刃６５ｘを待機位置に移動した後、回転テーブル６４ａ、６４ｂを９０度旋回してシート束の天部が下端となるように偏向する（Ｓｔ０１２）。
【０１００】
以上のように表装シート束が所定姿勢に旋回された後、制御ＣＰＵ７５は束姿勢偏向手段６４の昇降モータＭＡを駆動して表装シート束を断裁位置Ｇに給送セットする（Ｓｔ０１３）する。
【０１０１】
そこで断裁縁プレス部材６５ｂで表装シート束を押圧保持し、断裁刃６５ｘで所定量断裁する（Ｓｔ０１４）。次いで制御ＣＰＵ７５は断裁縁プレス部材６５ｂを待機位置に退避させた後、表装シート束を１８０度旋回し、地部が下端となるように姿勢偏向し、その下端部を断裁する。次いで制御ＣＰＵ７５は同様に断裁縁プレス部材６５ｂを待機位置に退避させた後、シート束を９０度旋回して小口部が下端となるように姿勢偏向しその下端部を断裁する。このように表装シート束の周縁を断裁揃えした後、制御ＣＰＵ７５は表装シート束の３方向の断裁を終了すると排紙動作に移行する（Ｓｔ０１５，Ｓｔ０１６）。
【０１０２】
一方上記ステップＳｔ００９で断裁モードが選択されないとき制御ＣＰＵ７５は次の排紙動作に移行する。排紙動作では制御ＣＰＵ７５は排紙ローラ６６を動作させシート束を収納スタッカ６７に収納する（Ｓｔ０１７）。
【０１０３】
［製本方法］
次に本発明に係わる製本方法について説明すると、前述の制御ＣＰＵ７５は次のステップで製本処理を実行する。シート搬入経路（中紙搬送経路３２）から供給された中綴じシートを集積トレイ手段４０に集積する部揃えステップ（上述のＳｔ００３）を実行する。次に上記集積トレイ手段４０で部揃え集積された中綴じシート束を製本綴じする製本綴じステップを実行する（上述のＳｔ００８）。次に上記製本綴じステップからのシート束の周縁をトリミングカットする断裁ステップ（上述のＳｔ０１４）を実行する。そして集積トレイ手段４０にシートを集積する前にシート搬入経路（中紙搬送経路３２）でシートの小口縁部に所定形状の切込みを形成する。この見出し抜き加工では、最終仕上げされる見出し開口の一部の辺が形成され、残りの辺は上記断裁ステップで形成する。
【図面の簡単な説明】
【０１０４】
【図１】本発明の表紙シート位置決め機構を備えた製本装置及び画像形成システムの全体構成の説明図。
【図２】図１のシステムに於ける製本装置の要部説明図。
【図３】図２の装置に於ける接着剤塗布手段の構成を示す説明図であり、（ａ）はその構造説明図、（ｂ）は動作状態の説明図。
【図４】図２の装置に於けるグリップ搬送手段の構成説明図。
【図５】（ａ）乃至（ｄ）図２の装置に於ける表紙綴じ手段の構成及び動作説明図。
【図６】図２の装置に於ける断裁手段の構成説明図。
【図７】図２の装置においてシート搬入経路に配置したカッタ手段の一実施形態を示し、（ａ）はその断面構造の説明図であり、（ｂ）は平面構造の説明図である。
【図８】図７に示すカッタ手段の一部を示す不文説明図であり、（ａ）及び（ｂ）はそれぞれ異なる断面の構造説明図、（ｃ）は円盤状回転刃でシートに切込みを形成する状態の説明図、（ｄ）はシートに形成した切込みの形状を示す説明。
【図９】カッタ手段の図７、図８とは異なる実施形態（第２実施形態）を示し、（ａ）はカッタ機構の平面構造の説明図、（ｂ）はカッタ刃の形状を示す説明図、（ｃ）はカッタ手段と共同してシートを移送する搬送機構の説明図、（ｄ）はカッタ機構で形成した切込みの形状を示す説明図である。
【図１０】本発明に係わる製本装置で製本仕上げした冊子の見出し部形状の説明図であり、（ａ）（ｂ）それぞれ異なる見出しインデックスの形状説明図。
【図１１】本発明に係わる製本装置でくるみ製本する場合のシートサイズ形状の説明図であり、（ａ）は中紙シートの形状（ｂ）は表紙シートの形状、（ｃ）中紙シートに形成した見出しインデックス部の形状説明図。
【図１２】図２の装置における制御手段の構成を示すブロック図。
【図１３】図１２の制御構成における製本処理動作の手順を示すフローチャート。
【図１４】図１３のフローチャートの一部を詳細に示す説明図。
【符号の説明】
【０１０５】
Ａ        画像形成装置
Ｂ        製本装置
３０ｆ    装置フレーム
３１      受入経路
３２      中紙搬送経路
３２ｂ    排紙口
３２ｇ    ガイド部材
３２ｒ    搬送ローラ
３３      製本処理経路
３４      表紙給送経路
３６      経路切換フラッパ
３７      排紙スタッカ
４０      集積トレイ
４７      グリップ搬送手段
５５      接着剤塗布手段
６０      表紙綴じ手段
６５      断裁手段
６５ｘ    断裁刃
６６      排紙ローラ
６７      収納スタッカ
７０      制御部（制御ＣＰＵ）
７１      コントロールパネル
７２ａ    モード設定手段
７２ｂ    画像形成条件設定手段
７２ｃ    トリミングカット量設定手段
７３      入力手段
７４      表示手段
７５      制御ＣＰＵ
７５ａ    集積トレイ制御部
７５ｂ    接着剤塗布手段制御部
７５ｃ    表紙綴じ手段制御部
７５ｄ    断裁手段制御部
７５ｅ    スタック制御部
７５ｘ    シート給送制御部
７５ｙ    見出し抜き制御部
７８      制御手段（判別手段）
８０      カッタ手段
８１      円盤状回転刃
８３      作動手段
８４      スリッタ
８５      偏心カム
８６      加圧スプリング
８７      復帰バネ
８８      幅寄せ整合手段
９０      平板状切断刃
９０ｐ    ガイドピン
９１      偏心カム
ｉｔ１    凸部見出し（インデックスタグ）
ｉｔ２    凸部見出し（インデックスタグ）
ｉｔ３    凸部見出し（インデックスタグ）
ｉｔ４    凹部見出し（インデックスタグ）
ｉｔ５    凹部見出し（インデックスタグ）
ｃｋ１    切込み（小口端縁）
ｃｋ２    切込み
【図１】
2010115885.tif 000003
【図２】
2010115885.tif 000004
【図３】
2010115885.tif 000005
【図４】
2010115885.tif 000006
【図５】
2010115885.tif 000007
【図６】
2010115885.tif 000008
【図７】
2010115885.tif 000009
【図８】
2010115885.tif 000010
【図９】
2010115885.tif 000011
【図１０】
2010115885.tif 000012
【図１１】
2010115885.tif 000013
【図１２】
2010115885.tif 000014
【図１３】
2010115885.tif 000015
【図１４】
2010115885.tif 000016